(57)【特許請求の範囲】
【請求項１】
カードの相対応する２辺のうちの一辺に加算用目盛を、同他辺に加算用答読取り用目盛を有するとともに、前記相対応する２辺の各々の辺に加算基準用指標を有し、他の相対応する２辺のうちの一辺に減算用目盛を、同他辺に減算用答読取り用目盛を有するとともに、前記他の相対応する２辺の各々の辺に減算基準用指標を有し、
一方のカードと他方のカードとを左右または上下に並べ一方のカードの加算基準用指標と他方のカードの加算基準用指標とを合わせる場合に、一方のカードの数字と他方のカードの数字とを加算した加算値が他方のカードの加算用答読取り用目盛によって一方のカードの加算用目盛において指示され、
一方のカードと他方のカードとを上下または左右に並べ一方のカードの減算基準用指標と他方のカードの減算基準用指標とを合わせる場合に、一方のカードの数字から他方のカードの数字を減算した減算値が他方のカードの減算用答読取り用目盛によって一方のカードの減算用目盛において指示される
ことを特徴とする計算機能付きトランプ。
【請求項２】
前記加算用目盛は、そのカードに表示されている数に１を加えた数から少くとも他の最大数値のカードの数との合計数に対応する数までの目盛が等間隔に表示され、前記減算用目盛は、０から少くともそのカードに表示されている数より１を減じた数までの目盛が等間隔に表示されていることを特徴とする請求項１記載の計算機能付きトランプ。
【発明の詳細な説明】
【０００１】
【発明の属する技術分野】
本発明は、低学年児に数の加算、減算の概念を容易に理解させることができる計算手段を備えたトランプに関する。
【０００２】
【従来の技術】
従来から幼児乃至小学校低学年児に数の概念や数の計算を理解させるための道具は種々提供されており、特にカード類を用いて具体的な絵柄と抽象的な数字とを表示して両者の関係を理解させるようになされたものが多くみられ、自然に数に親みを与えるように工夫されている。
【０００３】
【発明が解決しようとする課題】
しなしながら上記のように単に数字や物の数が表現されただけのものでは、これら表示されている物の数をかぞえたり、その数を表わす数字を覚えさせる程度に留るものであり、それ以上の学習効果を挙げることができなかった。
【０００４】
【課題を解決するための手段】
本発明は、トランプカードを利用してそのカードに表示されている数同士を加えたり引いたりして計算することを助け、トランプカードの利用範囲を拡大して知育玩具としての効果をもたらすことができる計算機能付きトランプを提供することを課題としてなされたもので、その解決手段として本発明は、カードの相対応する２辺のうちの一辺に加算用目盛を、同他辺に加算用答読取り用目盛を有するとともに、前記相対応する２辺の各々の辺に加算基準用指標を有し、他の相対応する２辺のうちの一辺に減算用目盛を、同他辺に減算用答読取り用目盛を有するとともに、前記他の相対応する２辺の各々の辺に減算基準用指標を有し、一方のカードと他方のカードとを左右または上下に並べ一方のカードの加算基準用指標と他方のカードの加算基準用指標とを合わせる場合に、一方のカードの数字と他方のカードの数字とを加算した加算値が他方のカードの加算用答読取り用目盛によって一方のカードの加算用目盛において指示され、一方のカードと他方のカードとを上下または左右に並べ一方のカードの減算基準用指標と他方のカードの減算基準用指標とを合わせる場合に、一方のカードの数字から他方のカードの数字を減算した減算値が他方のカードの減算用答読取り用目盛によって一方のカードの減算用目盛において指示されることを特徴とする。また、好ましい形態として、前記加算用目盛は、そのカードに表示されている数に１を加えた数から少くとも他の最大数値のカードの数との合計数に対応する数までの目盛が等間隔に表示され、前記減算用目盛は、０から少くともそのカードに表示されている数より１を減じた数までの目盛が等間隔に表示される。
【０００５】
したがって任意の１枚のカードの加算用目盛と他の任意の１枚のカードの答読取り用目盛とが表示されている辺を整合させ、その答読取り用目盛に合致している加算用目盛を読めば当該２枚のカードの数の和を知ることができる。減算の場合も同様にして減算用目盛を用いて答を知ることができる。
【０００６】
【発明の実施の形態】
以下、本発明を図面に示す実施の形態を参照して説明する。
トランプカード１は、図１〜図４に「ハート」の例を示すように、『１』から『１３』までの１３枚と、他の図示しないダイヤ、スペード、クラブが各１３枚ずつあって、いずれも『１１』〜『１３』は絵を用いず、マーク２の数で表わされている。
【０００７】
カード１は通常のトランプと同様に縦長矩形状のシートからなるもので、中央の範囲にマーク２が印刷され、対隅部にはそのマーク２の数を表わす数字３と小さいマーク２ａが印刷されている。
【０００８】
上記カード１の相対応する長辺のうちの一辺には加算用目盛４が、同他辺には答読取り用目盛５が印刷により表示され、カード１の相対応する短辺のうちの一辺には減算用目盛６が、同他辺には答読取り用目盛７が印刷により表示されている。
【０００９】
上記加算用目盛４は、そのカード１に表示されている数に「１」を加えた数から他の最大数値のカードの数との合計数に対応する数までの目盛が等間隔に表示されている。
【００１０】
例えば『１』のカード（エース）では、図１（Ａ）に示すように「２」，「３」…「１４」までが、『２』のカードでは、図１（Ｂ）に示すように「３」，「４」…「１５」までが、『１３』のカードでは、図４に示すように「１４」，「１５」…「２５」までがそれぞれ表示されている。
【００１１】
各読取り用目盛５は、前記加算用目盛４のスタートの最小数の目盛からかぞえてそのカードの数番目の位置に対応して表示される。
【００１２】
前記減算用目盛６は、「０」からそのカードに表示されている数より「１」を減じた数までの目盛が等間隔に表示されている。
【００１３】
例えば『１』（エース）のカード１では、図１（Ａ）に示すように「０」の目盛のみであり、『１３』のカードでは「０」から「１２」までの目盛が表示されている。
【００１４】
答読取り用目盛７は、前記減算用目盛６のスタートの最小数の目盛と対応した位置に表示される。
【００１５】
図において８，８は、加算時にカード１，１の加算用目盛４と答読取り用目盛５とが表示されている辺同士を合わせる際に正しく合わせるための基準用指標であり、９，９は同じく減算時の基準用指標である。しかしカード１，１の上下端の位置を合わせることによってもよいので、上記基準用指標８，９は省略してもよい。
【００１６】
次に使い方について説明する。
通常のトランプゲームを行うときは、従来と同様にマーク２の種類、その数によって各種のゲームに使用することができる。
【００１７】
次に計算の仕方について説明する。
〔足し算〕（図５，図６参照）
図５は「５＋６」を計算する場合を示し、『５』のカードと『６』のカードとを使用してその加算用目盛４が表示されている辺とその答読取り用目盛５が表示されている辺とを突き合わせ、基準用指標８，８同士を正しく合わせる。こうして答読取り用目盛５が指し示す加算用目盛４を見れば「１１」を示しており、「５＋６」が「１１」であることが分る。
【００１８】
図６は「７＋８」の計算例を示すもので、『７』のカードと『８』のカードとを使用して上記の場合と同様に指標８，８を合わせて突き合わせれば、一方のカードの答読取り用目盛５が「１５」の目盛を示し、「７＋８」が「１５」であることが分る。
〔引き算〕（図７（Ａ），（Ｂ））
図７（Ａ）は「１０−３」の計算例を示し、『１０』のカードと『３』のカードとを使用してその減算用目盛６が表示されている辺とその答読取り目盛７が表示されている辺とを突き合わせ、基準用指標９，９同士を正しく合わせる。こうして答読取り目盛７が指し示す減算用目盛６を見れば「７」を示しており、「１０−３」が「７」であることが分る。
【００１９】
図７（Ｂ）は「１２−９」の計算例を示すもので、『１２』と『９』のカードを前記と同様にして突き合わせれば、一方のカードの答読取り用目盛７が「３」を示し、「１２−９」が「３」であることが分る。
【００２０】
このようにしてトランプカードに表示されている数を利用して足し算、引き算の計算を簡単に行うことができる。
【００２１】
なお、カードに数を表示したものであれば、通常のトランプのようにマークが印刷されていないカードであっても同様に実施することができる。
【００２２】
【発明の効果】
以上説明しように本発明によれば、カードに表示された数を利用して簡単な足し算、引き算の計算道具として使用することができ、計算に興味を持たせ、特にトランプカードの場合はその表示数を利用するので馴みやすく、一層計算を面白くして算数嫌いをなくすることができる。
【図面の簡単な説明】
【図１】（Ａ）〜（Ｄ）は『１』〜『４』のカードを示す平面図。
【図２】（Ａ）〜（Ｄ）は『５』〜『８』のカードを示す平面図。
【図３】（Ａ）〜（Ｄ）は『９』〜『１２』のカードを示す平面図。
【図４】『１３』のカードを示す平面図。
【図５】足し算の計算例を示す説明図。
【図６】足し算の他の例を示す説明図。
【図７】（Ａ），（Ｂ）は引き算の計算例を示す説明図。
【符号の説明】
１  カード
２  マーク
３  数字
４  加算用目盛
５  答読取り用目盛
６  減算用目盛
７  答読取り用目盛
８，９  基準用指標
【図１】
0003768276.tif 000002
【図２】
0003768276.tif 000003
【図３】
0003768276.tif 000004
【図４】
0003768276.tif 000005
【図５】
0003768276.tif 000006
【図６】
0003768276.tif 000007
【図７】
0003768276.tif 000008